(57)【要約】      （修正有）【課題】商品が散乱しないようにすることができると共に、商品を省スペースで取り出し易いように収納する商品収納装置を提供する。【解決手段】商品Ｓ１を取り出し可能に収納する商品収納装置１は、側壁１１、側壁１２、側壁１３、側壁１４及び底壁１５により覆われていると共に商品Ｓ１を上下方向に積層して収納する商品収納部９と、商品収納部９の上方を外部に開放して外部から商品収納部９に商品Ｓ１を収納可能な上部開口部２０と、側壁１１、側壁１３及び側壁１４の下方に設けられて商品収納部９を外部に開放すると共に、商品収納部９に収納されている商品Ｓ１を外部に取り出し可能な商品取出部３０と、を有し、紙により形成されていると共に上下方向に縦長の直方体に形成されている。【選択図】図１
0003208464.tif 000002
【実用新案登録請求の範囲】
【請求項１】
商品を取り出し可能に収納する商品収納装置であって、
商品を上下方向に積層して収納する箱状の商品収納部と、
前記商品収納部の側壁の下方に設けられ、前記商品収納部に収納される商品を外部に露出させると共に前記商品収納部に収納されている商品を外部に取り出し可能な商品取出部と、
を有することを特徴とする商品収納装置。
【請求項２】
前記商品取出部を覆うと共に前記商品収納部と一体の被覆部と、
前記被覆部と前記商品収納部との間に設けられるガイド部と、
を有し、
前記商品取出部は、
前記ガイド部に沿って前記被覆部を取り除くことにより形成される、
ことを特徴とする請求項１記載の商品収納装置。
【請求項３】
前後方向又は左右方向の厚みが前記商品収納部に商品が収納されていない状態において前記商品収納部に商品が収納されている状態よりも薄くなるように変形可能である、
ことを特徴とする請求項１又は請求項２記載の商品収納装置。
【請求項４】
前記商品収納装置を吊り下げる吊り下げ部を有する、
ことを特徴とする請求項１から請求項３のいずれかに記載の商品収納装置。
【請求項５】
前記商品収納部の外表面に美術品を取り付ける取付部を有する、
ことを特徴とする請求項１から請求項４のいずれかに記載の商品収納装置。
【考案の詳細な説明】
【技術分野】
【０００１】
本考案は、たばこ等の商品を取り出し可能に収納する商品収納装置に関する。
【背景技術】
【０００２】
従来、商品の購入者は、複数のタバコ等の商品をまとめて包装したカートン又はパーセルを購入し、購入したカートン又はパーセルを破いて又は切り裂いて、中から商品を取り出して使用している。
【考案の概要】
【考案が解決しようとする課題】
【０００３】
しかしながら、従来においては、カートン又はパーセルを適当に破いたり切り裂くと、商品を取り出し難いと共に商品が散乱するという課題を有する。また、取り出した商品を放置しておくと、掃除等の際に邪魔になるという課題を有する。
【０００４】
本考案の目的は、商品が散乱しないようにすることができると共に、商品を省スペースで取り出し易いように収納することができる商品収納装置を提供することである。
【課題を解決するための手段】
【０００５】
本考案に係る商品収納装置は、商品を取り出し可能に収納する商品収納装置であって、商品を上下方向に積層して収納する箱状の商品収納部と、前記商品収納部の側壁の下方に設けられ、前記商品収納部に収納される商品を外部に露出させると共に前記商品収納部に収納されている商品を外部に取り出し可能な商品取出部と、を有する。
【考案の効果】
【０００６】
本考案によれば、商品が散乱しないようにすることができると共に、商品を省スペースで取り出し易いように収納することができる。
【図面の簡単な説明】
【０００７】
【図１】本考案の第１の実施形態に係る商品収納装置の使用後の斜視図である。
【図２】本考案の第１の実施形態に係る商品収納装置の使用後の正面図である。
【図３】本考案の第１の実施形態に係る商品収納装置の使用後の側面図である。
【図４】本考案の第１の実施形態に係る商品収納装置の使用前の斜視図である。
【図５】本考案の第１の実施形態に係る商品収納装置の潰した状態の側面図である。
【図６】本考案の第１の実施形態に係る商品収納装置の潰した状態の正面図である。
【図７】本考案の第２の実施形態に係る商品収納装置の斜視図である。
【図８】本考案の第２の実施形態に係る商品収納装置の展開図である。
【考案を実施するための形態】
【０００８】
以下、図面を適宜参照して、本考案の実施形態に係る商品収納装置につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【０００９】
（第１の実施形態）
＜商品収納装置の構成＞
本考案の第１の実施形態に係る商品収納装置１の構成につき、図１から図６を参照しながら、以下に詳細に説明する。
【００１０】
商品収納装置１は、厚紙等の紙により形成されていると共に、上下方向に縦長の箱状に形成されている。商品収納装置１は、１枚の紙で形成することができる。商品収納装置１は、商品収納部９に商品Ｓ１を収納できない折畳状態（図５及び図６の状態）と商品収納部９に商品Ｓ１を収納可能にする組立状態（図１の状態）との間で変形可能になっている。商品収納装置１は、左右方向の厚みが折畳状態において組立状態よりも薄くなる。商品収納装置１は、典型的には複数の商品をまとめて包装したカートン又はパーセルにより構成されている。また、商品Ｓ１は、直方体であることが好ましく、典型的にはたばこである。
【００１１】
商品収納装置１は、商品収納部９と、上部開口部２０と、商品取出部３０と、吊り下げ部４０と、取付部５０と、を有している。
【００１２】
商品収納部９は、収納空間１０と、側壁１１と、側壁１２と、側壁１３と、側壁１４と、底壁１５と、蓋部１６と、を備えている。収納空間１０の側方には、側壁１１と、側壁１２と、側壁１３と、側壁１４と、が配置されている。収納空間１０の下方には、底壁１５が配置されている。収容空間１０の上方には、開閉自在な蓋部１６が配置されている。商品収納部９は、箱状であり、商品Ｓ１を上下方向に積層して収納する。商品収納部９には、組立状態と折畳状態との間で変形し易くするために、図５及び図６に示すように、側壁１２において上下方向に沿って折り目Ｍ２と、側壁１４において上下方向に沿って予め折り目Ｍ１と、底壁１５において前後方向に沿って折り目Ｍ３が予め設けられている。なお、図１から図４においては、折り目Ｍ１、折り目Ｍ２及び折り目Ｍ３の記載を省略している。
【００１３】
側壁１３の上端には、蓋部１６が開閉自在に設けられている。蓋部１６の側壁１３と接続している辺の反対側の辺には、当接部１７が設けられている。当接部１７は、蓋部１６により上部開口部２０を塞いだ際に、側壁１１の内壁に当接して蓋部１６を浮き上がらないようにする。
【００１４】
上部開口部２０は、商品収納部９の上端に開口し、上方から商品収納部９に商品Ｓ１を収納可能になっている。上部開口部２０は、蓋部１６により覆われる。
【００１５】
商品取出部３０は、側壁１１の下端及び前端と、側壁１４の下端と、側壁１３の下端及び前端と、において、側壁１１、側壁１３及び側壁１４を各々板厚方向に貫通して設けられている。商品取出部３０は、収納空間１０と外部とを連通している。商品取出部３０は、商品収納部９に収納される商品Ｓ１を外部に露出させ、商品収納部９に収納されている商品Ｓ１を外部に取り出し可能にしている。商品取出部３０の上下方向の幅は、１個の商品Ｓ１の幅Ｈ１（図１参照）よりも大きく、且つ２個の商品Ｓ１の幅Ｈ１を足した幅（２×Ｈ１）よりも小さい。商品取出部３０は、図４に示すように、被覆部３１により覆われている。
【００１６】
被覆部３１は、側壁１１、側壁１３、側壁１４及び底壁１５と一体になっている。被覆部３１と、側壁１１、側壁１３側壁１４及び底壁１５と、の間には、ガイド部３２が形成されている。ガイド部３２は、典型的にはミシン目である。
【００１７】
吊り下げ部４０は、紐状であり、一方の端部が側壁１２に取り付けられていると共に、他方の端部が側壁１４に取り付けられている。
【００１８】
取付部５０は、側壁１１の外表面に設けられ、美術品５１を取り付けることが可能になっている。ここで、美術品５１は、典型的には写真、絵葉書又は絵画等である。
【００１９】
＜商品収納装置の使用方法＞
本考案の第１の実施形態に係る商品収納装置１の使用方法につき、図１から図６を参照しながら、以下に詳細に説明する。
【００２０】
まず、図４に示す複数の商品Ｓ１をまとめて包装したカートン１ａを購入し、カートン１ａの被覆部３１をガイド部３２に沿って取り除く。これにより、図１に示すように、商品収納部９に上下方向に積層して収納されている複数の商品Ｓ１のうちの最下部の商品Ｓ１が商品取出部３０に露出した状態となって商品取出部３０から取り出し可能な状態になる。
【００２１】
被覆部３１を取り除くことで商品取出部３０を形成することができるので、購入したカートン１ａをそのまま商品収納装置１として使用することができる。また、被覆部３１をガイド部３２に沿って取り除くことができるので、被覆部３１を容易に確実に取り除くことができる。
【００２２】
商品Ｓ１を使用する際に、商品収納装置１の商品取出部３０に露出している最下部の商品Ｓ１を、商品取出部３０から前方に引き出して取り出す。この際、下から二番目の商品Ｓ１は側壁１４に当接して前方に移動しない。これにより、１つの商品Ｓ１を容易に取り出すことができる。
【００２３】
最下部の商品Ｓ１を取り出した後に、商品収納部９に収納されている残りの商品Ｓ１は自重で下方に移動し、最下部の商品Ｓ１が再び商品取出部３０に露出した状態となって商品取出部３０から取り出し可能な状態になる。このように、商品収納部９に収納されている商品Ｓ１は自重で下方に移動して商品取出部３０に露出した状態になるため、商品Ｓ１を商品取出部３０に露出させるための特別な機構が不要となって、簡易な構成にすることができる。
【００２４】
室内の壁に取り付けたフック等に吊り下げ部４０を引っ掛けることにより、このフック等に商品収納装置１をぶら下げることができる。これにより、商品収納装置１が室内等に放置されることがないため、商品Ｓ１を紛失することがなくなると共に掃除等の際に邪魔にならないようにすることができる。
【００２５】
または、底壁１５を下方にして商品収納装置１を机の上等に縦置きで置いておくことができる。これにより、商品収納装置１が室内等に放置されることがないため、商品Ｓ１を紛失することがなくなると共に掃除等の際に邪魔にならないようにすることができる。また、商品収納装置１は、縦長の直方体であるため、商品Ｓ１を省スペースで収納しておくことができる。
【００２６】
更に、写真又は絵画等の美術品を取付部５０に取り付けることにより、美観を損ねないようにすることができる。
【００２７】
商品収納部９に収納されている商品Ｓ１を全て使用した後には、図５及び図６に示すように、商品収納装置１を折り畳む。商品収納装置１を折り畳むことができるので、収納、輸送又は廃棄する際に省スペースにすることができると共に嵩張らないようにすることができる。
【００２８】
図５及び図６に示す折り畳んだ状態で収納しておいた後に再び商品収納装置１を使用する際には、折り畳む手順とは反対の手順で商品収納装置１を組み立てて、別途購入した商品Ｓ１を上部開口部２０から商品収納部９に収納する。別途購入した商品Ｓ１を商品収納部９に収納するための上部開口部２０を設けることにより、商品収納装置１を繰り返し使用することができる。
【００２９】
このように、本実施形態によれば、箱状の商品収納部９に商品Ｓ１を上下方向に積層して収納し、商品収納部９の側壁１１、側壁１３及び側壁１４の下方に設けられた商品取出部３０により、商品収納部９に収納される商品Ｓ１を外部に露出させると共に商品収納部９に収納されている商品Ｓ１を外部に取り出し可能にするため、商品Ｓ１が散乱しないようにすることができると共に、商品Ｓ１を省スペースで取り出し易いように収納することができる。
【００３０】
なお、本実施形態において、被覆部３１を取り除いて商品取出部３０を形成したが、被覆部３１により商品取出部３０を覆うことなく商品取出部３０を当初から形成しておいてもよい。
【００３１】
また、本実施形態において、商品収納装置を左右方向に押し潰して折り畳んだが、商品収納装置を前後方向に押し潰して折り畳んでもよい。
【００３２】
また、本実施形態において、吊り下げ部４０を設けたが、吊り下げ部４０を設けなくてもよい。
【００３３】
また、本実施形態において、上部開口部２０を設けたが、上部開口部２０を設けずに商品収納部の上方を開閉しない上方壁で塞いでもよい。
【００３４】
（第２の実施形態）
＜商品収納装置の構成＞
本考案の第２の実施形態に係る商品収納装置２の構成につき、図７から図８を参照しながら、以下に詳細に説明する。
【００３５】
商品収納装置２は、厚紙等の紙により形成されていると共に、上下方向に縦長の箱状に形成されている。商品収納装置２は、図８に示すように１枚の紙で形成することができる。商品収納装置２は、商品収納部１０９に商品Ｓ２を収納できない分解状態（図８の状態）と商品収納部１０９に商品Ｓ２を収納可能にする組立状態（図７の状態）との間で変形可能になっている。商品収納装置２は、折畳状態において組立状態よりも薄くなる。商品Ｓ２は、直方体であることが好ましく、典型的にはたばこである。
【００３６】
商品収納装置２は、商品収納部１０９と、上部開口部１２０と、商品取出部１３０と、吊り下げ部１４０と、取付部１５０と、を有している。
【００３７】
商品収納部１０９は、収納空間１１０と、側壁１１１と、側壁１１２と、側壁１１３と、側壁１１４と、底壁１１５と、蓋部１１６と、を備えている。収納空間１１０の側方には、側壁１１１と、側壁１１２と、側壁１１３と、側壁１１４と、が配置されている。収納空間１１０の下方には、底壁１１５が配置されている。収容空間１１０の上方には、開閉自在な蓋部１１６が配置されている。商品収納部１０９は、箱状であり、商品Ｓ２を上下方向に積層して収納する。
【００３８】
側壁１１２の上端には、蓋部１１６が開閉自在に設けられている。蓋部１１６の側壁１１２と接続している辺の反対側の辺には、当接部１１７が設けられている。当接部１１７は、蓋部１１６により上部開口部１２０を塞いだ際に、側壁１１４の内壁に当接して蓋部１１６を浮き上がらないようにする。
【００３９】
側壁１１１の短手方向（図８において上下方向）の一方の端部には、複数の貫通孔Ｖが側壁１１１の長手方向（図８において左右方向）に沿って所定間隔で設けられている。側壁１１１の短手方向の他方の端部には、複数の貫通孔Ｗが側壁１１１の長手方向に沿って所定間隔で設けられている。
【００４０】
側壁１１２の短手方向（図８において左右方向）の一方の端部には、側壁１１２から離れる方向に突出する複数の突出部Ｐが側壁１１２の長手方向（図８において上下方向）に沿って所定間隔で設けられている。突出部Ｐは、貫通孔Ｕを貫通することが可能な形状を有している。突出部Ｐの突出方向の先端は、貫通孔Ｕを貫通した後に側壁１３の貫通孔Ｕの周囲に係合することが可能なように側壁１１２の長手方向に沿って幅広になっている。側壁１１２の短手方向の他方の端部には、側壁１１２から離れる方向に突出する複数の突出部Ｑが側壁１１２の長手方向に沿って所定間隔で設けられている。突出部Ｑは、貫通孔Ｖを貫通することが可能な形状を有している。突出部Ｑの突出方向の先端は、貫通孔Ｖを貫通した後に側壁１２の貫通孔Ｖの周囲に係合することが可能なように側壁１１２に沿って幅広になっている。
【００４１】
側壁１１３の短手方向（図８において上下方向）の一方の端部には、複数の貫通孔Ｕが側壁１１３の長手方向（図８において左右方向）に沿って所定間隔で設けられている。
【００４２】
側壁１１４の短手方向（図８において上下方向）の一方の端部には、側壁１１４から離れる方向に突出する複数の突出部Ｒが側壁１１４の長手方向（図８において左右方向）に沿って所定間隔で設けられている。突出部Ｒは、貫通孔Ｗを貫通することが可能な形状を有している。突出部Ｒの突出方向の先端は、貫通孔Ｗを貫通した後に側壁１１４の貫通孔Ｗの周囲に係合することが可能なように側壁１１４の長手方向に沿って幅広になっている。
【００４３】
側壁１１１と底壁１１５との間には、谷折り部Ｔ４が形成されている。側壁部１１２と底壁１１５との間には、谷折り部Ｔ２が形成されている。側壁１１３と底壁１１５との間には、谷折り部Ｔ３が形成されている。側壁１１３と底壁１１４との間には、谷折り部Ｔ１が形成されている。側壁１１２と蓋部１１６との間には、谷折り部Ｔ５が形成されている。
【００４４】
上部開口部１２０は、商品収納部１０９の上端に開口し、上方から商品収納部１０９に商品Ｓ２を収納可能になっている。上部開口部１２０は、蓋部１１６により覆われる。
【００４５】
商品取出部１３０は、側壁１１１の下端及び前端と、側壁１１４の下端と、側壁１１３の下端及び前端と、において、側壁１１１、側壁１１３及び側壁１１４を各々板厚方向に貫通して設けられている。商品取出部１３０は、収納空間１１０と外部とを連通している。商品取出部１３０は、商品収納部１０９に収納される商品Ｓ２を外部に露出させ、商品収納部１０９に収納されている商品Ｓ２を外部に取り出し可能にしている。商品取出部１３０の上下方向の幅は、１個の商品Ｓ２の幅Ｈ２（図７参照）よりも大きく、且つ２個の商品Ｓ２の幅Ｈ２を足した幅（２×Ｈ２）よりも小さい。
【００４６】
取付部１５０は、側壁１１１の外表面に設けられ、美術品１５１を取り付けることが可能になっている。ここで、美術品１５１は、典型的には写真、絵葉書又は絵画等である。
【００４７】
＜商品収納装置の使用方法＞
本考案の第２の実施形態に係る商品収納装置２の使用方法につき、図７及び図８を参照しながら、以下に詳細に説明する。
【００４８】
まず、図８に示す展開されている商品収納装置２を組み立てる。
【００４９】
具体的には、谷折り部Ｔ２を谷折りして側壁１１２を立ち上げ、谷折り部Ｔ３を谷折りして側壁１１３を立ち上げ、谷折り部Ｔ４を谷折りして側壁１１１を立ち上げる。また、谷折り部Ｔ１を谷折りして側壁１１４を内側に折り曲げる。この後に、突出部Ｐを内側から貫通孔Ｕに貫通させて側壁１１３に係合し、突出部Ｑを内側から貫通孔Ｖに貫通させて側壁１１１に係合し、突出部Ｒを内側から貫通孔Ｗに貫通させて側壁１１１係合する。これにより商品収納装置２の組み立てを完了し、商品収納装置２は、図７に示す状態になる。
【００５０】
組み立てを完了した後に、購入した商品Ｓ２を上部開口部１２０から商品収納部１０９に順次収納して商品収納部１０９に積層していく。これにより、図７に示すように、商品収納部１０９に上下方向に積層して収納されている複数の商品Ｓ２のうちの最下部の商品Ｓ２が商品取出部１３０に露出した状態となって商品取出部１３０から取り出し可能な状態になる。
【００５１】
商品Ｓ２を使用する際に、商品収納装置２の商品取出部１３０に露出している最下部の商品Ｓ２を、商品取出部１３０から前方に引き出して取り出す。この際、下から二番目の商品Ｓ２は側壁１１４に当接して前方に移動しない。これにより、１つの商品Ｓ２を容易に取り出すことができる。
【００５２】
最下部の商品Ｓ２を取り出した後に、商品収納部１０９に収納されている残りの商品Ｓ２は自重で下方に移動し、最下部の商品Ｓ２が再び商品取出部１３０に露出した状態となって商品取出部１３０から取り出し可能な状態になる。このように、商品収納部１０９に収納されている商品Ｓ２は自重で下方に移動して商品取出部１３０に露出した状態になるため、商品Ｓ２を商品取出部１３０に露出させるための特別な機構が不要となって、簡易な構成にすることができる。
【００５３】
底壁１１５を下方にして商品収納装置２を机の上等に縦置きで置いておくことができる。これにより、商品収納装置２が室内等に放置されることがないため、商品Ｓ２を紛失することがなくなると共に掃除等の際に邪魔にならないようにすることができる。また、商品収納装置２は、縦長の直方体であるため、商品Ｓ２を省スペースで収納しておくことができる。
【００５４】
更に、商品収納装置２は、写真又は絵画等の美術品を取付部１５０に取り付けられることにより、美観を損ねないようにすることができる。
【００５５】
商品収納部１０９に収納されている商品Ｓ２を全て使用した後には、図８に示すように、商品収納装置２を分解する。商品収納装置２を分解することができるので、収納、輸送又は廃棄する際に省スペースにすることができると共に嵩張らないようにすることができる。
【００５６】
図８に示す分解した状態で収納しておいた後に再び商品収納装置２を使用する際には、上記の手順で商品収納装置２を組み立てて、別途購入した商品Ｓ２を上部開口部１２０から商品収納部１０９に収納して、商品収納装置２を繰り返し使用することができる。
【００５７】
このように、本実施形態によれば、箱状の商品収納部１０９に商品Ｓ２を上下方向に積層して収納し、商品収納部１０９の側壁１１１、側壁１１３及び側壁１１４の下方に設けられた商品取出部１３０により、商品収納部１０９に収納される商品Ｓ２を外部に露出させると共に商品収納部１０９に収納されている商品Ｓ２を外部に取り出し可能にするため、商品Ｓ２が散乱しないようにすることができると共に、商品Ｓ２を省スペースで取り出し易いように収納することができる。
【００５８】
なお、本実施形態において、図１等に示す吊り下げ部４０と同様の吊り下げ部を商品収納装置２に取り付けて、商品収納装置２をフックに吊り下げてもよい。
【００５９】
また、本実施形態において、蓋部１１６を設けたが、蓋部１１６を設けずに商品収納部１０９の上方を常に外部に開放した状態にしてもよい。
【００６０】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【００６１】
具体的には、上記第１の実施形態及び第２の実施形態において、紙により商品収納装置を形成したが、折り曲げ可能又は折り畳み可能なプラスチック等の紙以外の材料で商品収納装置を形成してもよい。
【００６２】
また、上記第１の実施形態及び第２の実施形態において、取付部５０又は取付部１５０を設けたが、取付部５０又は取付部１５０を設けなくてもよい。
【００６３】
また、上記第１の実施形態及び第２の実施形態において、前方に商品を取り出せるように商品取出部を形成したが、側方又は後方に商品を取り出せるように商品取出部を形成してもよい。
【００６４】
また、上記第１の実施形態及び第２の実施形態において、左右方向に直交する側壁に取付部を設けたが、前後方向に直交する側壁に取付部を設けてもよい。
【００６５】
また、上記第１の実施形態及び第２の実施形態において、商品取出部を側壁の下端に設けたが、商品取出部を側壁の下方の任意の位置に設けることができる。この場合には、例えば収納空間の下方に上底を設けて、側壁の上底に対応する下方の位置に商品取出部を設けるようにするとよい。
【００６６】
また、上記第１の実施形態及び第２の実施形態において、商品収納装置の形状を直方体にしたが、商品収納装置の形状を立方体にしてもよい。
【産業上の利用可能性】
【００６７】
本考案に係る商品収納装置は、たばこ等の商品を取り出し可能に収納するのに好適である。
【符号の説明】
【００６８】
１  商品収納装置
２  商品収納装置
９  商品収納部
１０  収納空間
１１  側壁
１２  側壁
１３  側壁
１４  側壁
１５  底壁
１６  蓋部
１７  当接部
２０  上部開口部
３０  商品取出部
３１  被覆部
４０  吊り下げ部
５０  取付部
５１  美術品
１０９  商品収納部
１１０  収納空間
１１１  側壁
１１２  側壁
１１３  側壁
１１４  側壁
１１５  底壁
１１６  蓋部
１１７  当接部
１２０  上部開口部
１３０  商品取出部
１５０  取付部
１５１  美術品
Ｓ１  商品
Ｓ２  商品
Ｐ  突出部
Ｑ  突出部
Ｒ  突出部
Ｔ１  谷折り部
Ｔ２  谷折り部
Ｔ３  谷折り部
Ｔ４  谷折り部
Ｔ５  谷折り部
Ｕ  貫通孔
Ｖ  貫通孔
Ｗ  貫通孔
【図１】
0003208464.tif 000003
【図２】
0003208464.tif 000004
【図３】
0003208464.tif 000005
【図４】
0003208464.tif 000006
【図５】
0003208464.tif 000007
【図６】
0003208464.tif 000008
【図７】
0003208464.tif 000009
【図８】
0003208464.tif 000010